(57)【要約】【課題】電源部からの電力供給を遮断する電力供給遮断部を備えるリモコン装置およびリモコンシステムにおいて、リモコン装置の載置の仕方によらず電源部からの電力供給を遮断するとともに、非使用時の電力消費の低減を図ることが可能なリモコン装置およびリモコンシステムを提供する。【解決手段】重心５０が幾何学中心から偏心して配置されるとともに、姿勢を変化可能なリモコン装置１０本体と、リモコン装置１０本体に電力を供給する電源部１７と、操作面１０ａに配置され、ユーザによる操作を受け付ける操作部１１と、リモコン装置１０本体が載置面６０に載置された場合に、偏心した重心５０によりリモコン装置１０本体の姿勢が重心５０を載置面６０に近付ける姿勢に向かって変化するとともに、リモコン装置１０本体が重心５０を載置面６０に近付ける姿勢になったことに基づいて、電源部１７からの電力供給を遮断する傾斜スイッチ１２とを備える。【選択図】図１
2014236425.tif 000002
【特許請求の範囲】
【請求項１】
所定の姿勢となるように重心が幾何学中心から偏心して配置されるとともに、姿勢を変化可能なリモコン装置本体と、
前記リモコン装置本体に電力を供給する電源部と、
操作面に配置され、ユーザによる操作を受け付ける操作部と、
前記リモコン装置本体が載置面に載置された場合に、偏心した重心により前記リモコン装置本体の姿勢が前記所定の姿勢に向かって変化するとともに、前記リモコン装置本体が前記所定の姿勢になったことに基づいて、前記電源部からの電力供給を遮断する電力供給遮断部とを備えた、リモコン装置。
【請求項２】
前記電力供給遮断部は、前記リモコン装置本体の内部に配置されるとともに、前記リモコン装置本体の姿勢が前記所定の姿勢になったことに基づいて、前記電源部から電力を供給可能なオン状態から電力供給を遮断するオフ状態に切り替えるスイッチを含む、請求項１に記載のリモコン装置。
【請求項３】
前記スイッチは、傾斜スイッチを含み、
前記傾斜スイッチは、前記リモコン装置本体が傾いて前記リモコン装置本体の姿勢が前記所定の姿勢になったことに基づいて、前記電源部から電力を供給可能なオン状態から電力供給を遮断するオフ状態に物理的に切り替えるとともに、前記操作部が前記載置面と略平行で上向きの状態に位置した際に、前記電源部から電力を供給可能なオン状態に物理的に切り替えるように構成されている、請求項２に記載のリモコン装置。
【請求項４】
前記リモコン装置本体の一方端部近傍に配置され、操作対象機器に向けて操作信号を送信する操作信号送信部をさらに備え、
前記スイッチは、前記操作信号送信部の配置された一方端部近傍とは反対側の前記リモコン装置本体の他方端部側に配置されている、請求項２または３に記載のリモコン装置。
【請求項５】
前記リモコン装置本体は、丸みを帯びた形状を有する外表面を含み、
偏心した重心により前記丸みを帯びた形状を有する外表面の前記載置面に対する接触位置が変化されることにより姿勢が変化するとともに前記所定の姿勢になったことに基づいて、前記電源部からの電力供給が遮断されるように構成されている、請求項１〜４のいずれか１項に記載のリモコン装置。
【請求項６】
前記リモコン装置本体は、前記載置面を転がりやすい丸みを帯びた外表面形状を有する転がり形状部と、前記リモコン装置本体の前記転がり形状部が転がることにより前記所定の姿勢になった際に、前記所定の姿勢を維持可能な外表面形状を有する姿勢維持部とを含む、請求項５に記載のリモコン装置。
【請求項７】
前記姿勢維持部は、前記リモコン装置本体が前記所定の姿勢になった状態で、前記載置面と対向する略平坦部を含む、請求項６に記載のリモコン装置。
【請求項８】
前記操作面は、前記リモコン装置本体が前記所定の姿勢になった場合に前記載置面に対して対向する位置に配置され、
前記リモコン装置本体は前記操作面の外周部の少なくとも一部を囲むとともに前記操作面から突出するように設けられた脚部を含み、
前記脚部の前記操作面からの突出高さは、前記操作部が動作するのに必要な前記操作部の前記操作面からの突出高さよりも大きい、請求項１〜７のいずれか１項に記載のリモコン装置。
【請求項９】
操作対象機器と、
前記操作対象機器を操作可能なリモコン装置とを備え、
前記リモコン装置は、
所定の姿勢となるように重心が幾何学中心から偏心して配置されるとともに、姿勢を変化可能なリモコン装置本体と、
前記リモコン装置本体に電力を供給する電源部と、
操作面に配置され、ユーザによる操作を受け付ける操作部と、
前記リモコン装置本体が載置面に載置された場合に、偏心した重心により前記リモコン装置本体の姿勢が前記所定の姿勢に向かって変化するとともに、前記リモコン装置本体が前記所定の姿勢になったことに基づいて、前記電源部からの電力供給を遮断する電力供給遮断部とを含み、
前記操作対象機器は、前記リモコン装置から送信される操作信号を受信するとともに、前記操作信号に対応して動作するように構成されている、リモコンシステム。
【発明の詳細な説明】
【技術分野】
【０００１】
この発明は、リモコン装置およびリモコンシステムに関し、特に、電源部からの電力供給を遮断する電力供給遮断部を備えるリモコン装置およびリモコンシステムに関する。
【背景技術】
【０００２】
従来、電源部からの電力供給を遮断する電力供給遮断部を備えるリモコン装置などが知られている（たとえば、特許文献１参照）。
【０００３】
上記特許文献１には、操作面に配列された操作用ボタンの操作内容に応じたリモコン操作信号を出力するリモコン操作信号素子と、このリモコン操作信号素子に電力を供給する電源部と、電源部とリモコン操作信号素子とを電気的に接続する電源ラインの導通／遮断を切り替える電源スイッチ（電力供給遮断部）とを備えたリモコン送信機（リモコン装置）が開示されている。このリモコン送信機では、リモコン送信機本体が略矩形状（略平板状）を有するとともに、リモコン送信機の非使用時など、リモコン送信機本体の背面に設けられた電源スイッチが載置面などにより押下された場合に電源部からの電力供給が停止されるように構成されている。
【先行技術文献】
【特許文献】
【０００４】
【特許文献１】特開平１１−３５５１５３号公報
【発明の概要】
【発明が解決しようとする課題】
【０００５】
しかしながら、上記特許文献１に記載のリモコン送信機では、略矩形状を有するリモコン送信機の背面に電源スイッチが位置するため、リモコン送信機本体の背面が上面側となった姿勢で載置面に載置された場合には電源スイッチがオフ状態にならない。つまり、リモコン送信機の載置の仕方によっては、リモコン送信機の電源スイッチがオフ状態とならないため、リモコン装置の非使用時における電力消費を低減することができないという問題点がある。
【０００６】
この発明は、上記のような課題を解決するためになされたものであり、この発明の１つの目的は、電源部からの電力供給を遮断する電力供給遮断部を備えるリモコン装置およびリモコンシステムにおいて、リモコン装置の載置の仕方によらず電源部からの電力供給を遮断するとともに、非使用時の電力消費の低減を図ることが可能なリモコン装置およびリモコンシステムを提供することである。
【課題を解決するための手段】
【０００７】
この発明の第１の局面によるリモコン装置は、所定の姿勢となるように重心が幾何学中心から偏心して配置されるとともに、姿勢を変化可能なリモコン装置本体と、リモコン装置本体に電力を供給する電源部と、操作面に配置され、ユーザによる操作を受け付ける操作部と、リモコン装置本体が載置面に載置された場合に、偏心した重心によりリモコン装置本体の姿勢が所定の姿勢に向かって変化するとともに、リモコン装置本体が所定の姿勢になったことに基づいて、電源部からの電力供給を遮断する電力供給遮断部とを備える。
【０００８】
この発明の第１の局面によるリモコン装置では、上記のように、リモコン装置本体が載置面に載置された場合に、偏心した重心によりリモコン装置本体の姿勢が所定の姿勢に向かって変化するとともに、リモコン装置本体が所定の姿勢になったことに基づいて、電源部からの電力供給を遮断する電力供給遮断部を備えることによって、リモコン装置を載置面にどのような姿勢を有して載置した場合であっても、偏心した重心によりリモコン装置本体の姿勢が自然に変化して電力供給遮断部により電源部からの電力供給が遮断されるような所定の姿勢に移行させることができる。これにより、リモコン装置の載置の仕方によらず電源部からの電力供給が遮断されるとともに、非使用時の電力消費の低減を図ることができる。
【０００９】
上記第１の局面によるリモコン装置において、好ましくは、電力供給遮断部は、リモコン装置本体の内部に配置されるとともに、リモコン装置本体の姿勢が所定の姿勢になったことに基づいて、電源部から電力を供給可能なオン状態から電力供給を遮断するオフ状態に切り替えるスイッチを含む。このように構成すれば、スイッチがリモコン装置本体の内部に配置されているので、スイッチがリモコン装置本体の外部に配置されている場合と異なり、リモコン装置の使用中にユーザの指などがスイッチ（電力供給遮断部）に不意に接触することにより電源部からの電力供給が誤って遮断される動作を防止することができる。
【００１０】
この場合、好ましくは、スイッチは、傾斜スイッチを含み、傾斜スイッチは、リモコン装置本体が傾いてリモコン装置本体の姿勢が所定の姿勢になったことに基づいて、電源部から電力を供給可能なオン状態から電力供給を遮断するオフ状態に物理的に切り替えるとともに、操作部が載置面と略平行で上向きの状態に位置した際に、電源部から電力を供給可能なオン状態に物理的に切り替えるように構成されている。このように構成すれば、傾斜スイッチのオン状態とオフ状態とをリモコン装置本体の姿勢に応じて物理的に切り替えることができるので、スイッチ自身にオン／オフ切り替えのための電力を供給する必要がない。これにより、リモコン装置の電力消費をより低減することができる。
【００１１】
上記電力供給遮断部がリモコン装置本体の内部に配置されるスイッチを含む構成において、好ましくは、リモコン装置本体の一方端部近傍に配置され、操作対象機器に向けて操作信号を送信する操作信号送信部をさらに備え、スイッチは、操作信号送信部の配置された一方端部近傍とは反対側のリモコン装置本体の他方端部側に配置されている。このように構成すれば、ユーザは、操作信号送信部が配置された一方端部側を前方（操作対象機器）に向けるとともに、スイッチが配置された他方端部側を手前に向けてこの他方端部側を把持するようにしてリモコン装置を使用するので、ユーザの手（手首側）を支点としてリモコン装置が動かされたとしても、スイッチの配置された他方端部側のリモコン装置の動きを一方端部側と比較して小さくすることができる。この結果、ユーザによるリモコン装置の使用状態に起因してスイッチが誤動作するのを抑制することができる。
【００１２】
上記第１の局面によるリモコン装置において、好ましくは、リモコン装置本体は、丸みを帯びた形状を有する外表面を含み、偏心した重心により丸みを帯びた形状を有する外表面の載置面に対する接触位置が変化されることにより姿勢が変化するとともに所定の姿勢になったことに基づいて、電源部からの電力供給が遮断されるように構成されている。このように構成すれば、丸みを帯びた形状を有する外表面の載置面に対する接触位置の変化を有効に利用してリモコン装置本体の姿勢を所定の姿勢まで容易に変化させることができる。
【００１３】
この場合、好ましくは、リモコン装置本体は、載置面を転がりやすい丸みを帯びた外表面形状を有する転がり形状部と、リモコン装置本体の転がり形状部が転がることにより所定の姿勢になった際に、所定の姿勢を維持可能な外表面形状を有する姿勢維持部とを含む。このように構成すれば、リモコン装置が所定の姿勢になった際に姿勢維持部によって所定の姿勢を維持することができる。したがって、リモコン装置が所定の姿勢になった際に確実に電源部からの電力供給が遮断される状態を維持することができる。
【００１４】
上記リモコン装置本体が転がり形状部と姿勢維持部とを含む構成において、好ましくは、姿勢維持部は、リモコン装置本体が所定の姿勢になった状態で、載置面と対向する略平坦部を含む。このように構成すれば、リモコン装置が所定の姿勢になった際に載置面に対向する平坦部により所定の姿勢を容易に維持することができる。これにより、一旦、所定の姿勢となったリモコン装置が所定の姿勢からさらに転がることを確実に抑制することができる。
【００１５】
上記第１の局面によるリモコン装置において、好ましくは、操作面は、リモコン装置本体が所定の姿勢になった場合に載置面に対して対向する位置に配置され、リモコン装置本体は操作面の外周部の少なくとも一部を囲むとともに操作面から突出するように設けられた脚部を含み、脚部の操作面からの突出高さは、操作部が動作するのに必要な操作部の操作面からの突出高さよりも大きい。このように構成すれば、脚部の操作面からの突出高さは、操作部が動作するのに必要な操作部の操作面からの突出高さよりも大きいので、リモコン装置本体が載置面に載置されて所定の姿勢に向かって変化する際に、操作部が机上などの載置面から押圧されることに起因して誤操作（誤動作）を起こしてしまうのを抑制することができる。
【００１６】
この発明の第２の局面によるリモコンシステムは、操作対象機器と、操作対象機器を操作可能なリモコン装置とを備え、リモコン装置は、所定の姿勢となるように重心が幾何学中心から偏心して配置されるとともに、姿勢を変化可能なリモコン装置本体と、リモコン装置本体に電力を供給する電源部と、操作面に配置され、ユーザによる操作を受け付ける操作部と、リモコン装置本体が載置面に載置された場合に、偏心した重心によりリモコン装置本体の姿勢が所定の姿勢に向かって変化するとともに、リモコン装置本体が所定の姿勢になったことに基づいて、電源部からの電力供給を遮断する電力供給遮断部とを含み、操作対象機器は、リモコン装置から送信される操作信号を受信するとともに、操作信号に対応して動作するように構成されている。
【００１７】
この発明の第２の局面によるリモコンシステムでは、上記のように、リモコン装置本体が載置面に載置された場合に、偏心した重心によりリモコン装置本体の姿勢が所定の姿勢に向かって変化するとともに、リモコン装置本体が所定の姿勢になったことに基づいて、電源部からの電力供給を遮断する電力供給遮断部を含むことによって、リモコン装置を載置面にどのような姿勢を有して載置した場合であっても、偏心した重心によりリモコン装置本体の姿勢が自然に変化して電力供給遮断部により電源部からの電力供給が遮断されるような所定の姿勢に移行させることができる。これにより、リモコン装置の載置の仕方によらず電源部からの電力供給が遮断されるとともに、非使用時の電力消費の低減を図ることができる。
【発明の効果】
【００１８】
本発明によれば、上記のように、電源部からの電力供給を遮断する電力供給遮断部を備えるリモコン装置およびリモコンシステムにおいて、リモコン装置の載置の仕方によらず電源部からの電力供給を遮断するとともに、非使用時の電力消費の低減を図ることが可能なリモコン装置およびリモコンシステムを提供することができる。
【図面の簡単な説明】
【００１９】
【図１】本発明の第１実施形態によるリモコンシステムの全体構成を示した斜視図である。
【図２】本発明の第１実施形態によるリモコン装置およびこのリモコン装置を使用するリモコンシステムの制御構成を示したブロック図である。
【図３】本発明の第１実施形態によるリモコン装置のオン状態を表す側面図である。
【図４】本発明の第１実施形態によるリモコン装置のオフ状態を表す側面図である。
【図５】本発明の第１実施形態によるリモコン装置の使用状態を示した図である。
【図６】本発明の第１実施形態によるリモコン装置の傾斜スイッチの構成を示した断面図である。
【図７】本発明の第２実施形態によるリモコン装置の全体構成を示した斜視図である。
【図８】本発明の第２実施形態によるリモコン装置のオン状態を表す側面図である。
【図９】本発明の第２実施形態によるリモコン装置のオフ状態を表す側面図である。
【図１０】本発明の第３実施形態によるリモコン装置の全体構成を示した斜視図である。
【図１１】本発明の第３実施形態によるリモコン装置のオン状態を表す側面図である。
【図１２】本発明の第３実施形態によるリモコン装置のオフ状態を表す側面図である。
【図１３】本発明の変形例によるリモコン装置を示した斜視図である。
【発明を実施するための形態】
【００２０】
以下、本発明を具体化した実施形態を図面に基づいて説明する。
【００２１】
（第１実施形態）
図１〜図６を参照して、本発明の第１実施形態によるリモコン装置１０の構成を説明する。
【００２２】
本発明の第１実施形態によるリモコン装置１０は、図１に示すように、ユーザによる操作を受け付ける操作部１１と、リモコン装置１０本体の内部に配置されるとともに電力の供給と遮断とを切り替える傾斜スイッチ１２（破線で示す）と、リモコン装置１０の前方側（Ｙ２側）に設けられた脚部１３ａおよび後方側（Ｙ１側）に設けられた脚部１３ｂを含む脚部１３と、操作信号をテレビジョン装置４０へ送信する操作信号送信部１４（破線で示す）とを備える。また、操作部１１は、リモコン装置１０の正面側（Ｚ１側）に形成された略平坦な操作面１０ａに設けられている。なお、傾斜スイッチ１２は、本発明の「電力供給遮断部」の一例である。
【００２３】
また、リモコン装置１０は、図２に示すように、上記した操作部１１および傾斜スイッチ１２および操作信号送信部１４に加えて、制御部１５と、ジャイロセンサ１６と、電源部１７とを備えている。
【００２４】
また、リモコン装置１０による操作対象機器としてのテレビジョン装置４０は、操作信号受信部４１と、制御部４２と、表示画像４３ａおよびカーソル４３ｂを表示可能な表示部４３と、映像受信部４４とを備えている。また、テレビジョン装置４０は、映像受信部４４により外部から受信した映像を表示部４３に表示するように構成されている。また、テレビジョン装置４０は、リモコン装置１０から送信された所定の操作信号を操作信号受信部４１を介して取得するように構成されている。また、テレビジョン装置４０は、表示部４３の表示画像４３ａを操作するためのカーソル４３ｂを表示画像４３ａ上に表示するように構成されている。なお、テレビジョン装置４０は、本発明の「操作対象機器」の一例である。また、リモコン装置１０とテレビジョン装置４０とによって、本発明の「リモコンシステム」が構成されている。
【００２５】
また、リモコン装置１０は、制御部１５を介して操作部１１がユーザの指などにより押下された際の操作信号をテレビジョン装置４０へ送信するように構成されている。詳細には、図１に示すように、リモコン装置１０は、テレビジョン装置４０の表示部４３の表示画像４３ａ上の選択操作または決定操作が可能な画像上にカーソル４３ｂが位置する時に、ユーザが操作部１１を押下することにより選択操作または決定操作を実行可能に構成されている。
【００２６】
また、傾斜スイッチ１２は、図２に示すように、制御構成上、制御部１５と電源部１７との間に配置されるように構成されている。また、傾斜スイッチ１２は、図６に示すように、金属球１２ａと、金属球１２ａを出し入れすることが可能な蓋部材１２ｂと、金属球１２ａを保持するための筐体１２ｃと、電力を通電させるための電極１２ｄおよび電極１２ｅとを有している。また、傾斜スイッチ１２は、金属球１２ａが筐体１２ｃ内でＺ２側に物理的に移動された場合（図６に示す状態）に、電極１２ｄと電極１２ｅとが金属球１２ａを介して電気的に接続されるように構成されている。なお、この状態が傾斜スイッチ１２のオン状態に対応する。また、傾斜スイッチ１２は、金属球１２ａが筐体１２ｃ内でＺ１側に物理的に移動された場合（図示せず）に、電極１２ｄと電極１２ｅとの電気的な接続状態が解除されるように構成されている。なお、この状態が傾斜スイッチ１２のオフ状態に対応する。
【００２７】
また、操作信号送信部１４は、図１に示すように、リモコン装置１０の前方側（Ｙ２側）に配置されている。また、リモコン装置１０は、図２に示すように、操作部１１から出力された出力信号とジャイロセンサ１６が検知したリモコン装置１０の傾きに関する出力信号とに基づいて制御部１５から出力される所定の操作信号が操作信号送信部１４を介してテレビジョン装置４０の操作信号受信部４１に送信されるように構成されている。
【００２８】
また、制御部１５は、操作部１１と、傾斜スイッチ１２と、ジャイロセンサ１６と、操作信号送信部１４とに接続されている。また、制御部１５は、リモコン装置１０の各構成要素の制御を司るように構成されている。具体的には、制御部１５は、操作部１１が出力した出力信号を取得するように構成されている。また、制御部１５は、傾斜スイッチ１２を通して電源部１７からの電力が供給されるとともに、リモコン装置１０の各構成要素へ電力を分配する制御を行うように構成されている。また、制御部１５は、後述するジャイロセンサ１６が検知したリモコン装置１０の傾きに関する出力信号を取得するように構成されている。また、制御部１５は、操作信号送信部１４を介して、操作部１１と、ジャイロセンサ１６とにより取得した出力信号を所定の操作信号としてテレビジョン装置４０に送信させる制御を行うように構成されている。
【００２９】
また、電源部１７は、傾斜スイッチ１２を通してリモコン装置１０の各構成要素に電力を供給するように構成されている。
【００３０】
ここで、第１実施形態では、リモコン装置１０は、図１に示すように、外表面１０ｂが載置面６０（図３参照）を転がりやすい丸みを帯びた概略円柱形状を有している。また、リモコン装置１０は、脚部１３ａおよび１３ｂが操作部１１の外周部に配置されるとともに、リモコン装置１０の操作面１０ａから離間する方向（Ｚ１方向）へ突出するように形成されている。また、丸みを帯びた外表面１０ｂの一部を構成する脚部１３ａおよび１３ｂは、リモコン装置１０の脚部１３以外の丸みを帯びた外表面１０ｂと連続する滑らかな曲線（曲面）を有している。また、脚部１３ａおよび１３ｂは、図４に示すように、脚部１３ａおよび１３ｂの操作面１０ａからの最大突出高さＬ１が操作部１１の操作面１０ａからの突出高さＬ２よりも大きくなるように構成されている。したがって、操作部１１が押圧されて動作に至る時の押圧後の操作部１１の操作面１０ａからの突出高さよりも、脚部１３ａおよび１３ｂの操作面１０ａからの最大突出高さＬ１の方が大きくなるように構成されている。
【００３１】
また、第１実施形態では、リモコン装置１０は、重心５０がリモコン装置１０の幾何学的中心から操作面１０ａ側（Ｚ１側）に偏心して配置されるように構成されている。また、重心５０は、電源部１７（図２参照）などが操作面１０ａ側に偏って配置されることによりリモコン装置１０の幾何学的中心から偏心するように構成されている。すなわち図３においては、リモコン装置１０における上半分（Ｚ１側）の領域の重さが下半分（Ｚ２側）の領域の重さよりも大きくなるように内部の機器配置が構成されている。また、リモコン装置１０は、概略円柱形状の外表面１０ｂの載置面６０に対する接触位置が偏心した重心５０により変化されるように構成されている。具体的には、リモコン装置１０は、図３に示すように、重心５０が偏心して配置された操作面１０ａ側を上側（Ｚ１側）とした姿勢で載置面６０に載置された場合に、図３におけるリモコン装置１０の回転を表す矢印Ｐ方向に載置面６０を転がりながら姿勢が変化するように構成されている。そして、リモコン装置１０は、重心５０が徐々に載置面６０に向かって接近していくとともに、図４に示すように、重心５０が載置面６０に近付いた姿勢で安定するように構成されている。なお、図４に示す重心５０が載置面６０に近付いた際のリモコン装置１０の状態（姿勢）は、本発明の「所定の姿勢」に対応する姿勢である。また、図４では「所定の姿勢」の一例として重心５０が載置面６０に最も近付いた姿勢を図示したが、本発明の「所定の姿勢」には、傾斜スイッチ１２がオン状態からオフ状態に切り替わることが可能な角度範囲で重心５０が載置面６０に近付くようなリモコン装置１０の姿勢も含まれる。
【００３２】
また、傾斜スイッチ１２は、重心５０が偏心して配置された操作面１０ａ側を上側（Ｚ１側）とした姿勢となった場合（図１および図３の状態）にオン状態になるとともに、制御部１５（図２参照）を介してリモコン装置１０の各構成要素に電力が供給されるように構成されている。また、傾斜スイッチ１２は、図４に示すように、リモコン装置１０の重心５０が載置面６０に近付いた姿勢になった場合にオフ状態になるとともに、リモコン装置１０の各構成要素への電力の供給が遮断されるように構成されている。また、傾斜スイッチ１２は、図５に示すように、操作信号送信部１４の配置されたリモコン装置１０の一方端部側（Ｙ２側（前方））とは反対側の他方端部側（Ｙ１側（ユーザの手首側））に配置されている。すなわち、リモコン装置１０は、ユーザが内部に傾斜スイッチ１２の配置された他方端部側を主に把持した状態で操作信号送信部１４を前方に向けて使用されるように構成されている。
【００３３】
また、リモコン装置１０のジャイロセンサ１６は、リモコン装置１０の傾きを検知するように構成されている。また、ジャイロセンサ１６は、図２に示すように、制御部１５を介してジャイロセンサ１６が検知したリモコン装置１０の傾きに関する操作信号をテレビジョン装置４０に送信するように構成されている。また、テレビジョン装置４０では、受信したリモコン装置１０の傾きに関する操作信号に基づいて、テレビジョン装置４０の表示画像４３ａ（図１参照）上のカーソル４３ｂ（図１参照）を表示画像４３ａ上で移動させることが可能に構成されている。
【００３４】
第１実施形態では、上記のように、リモコン装置１０本体が載置面６０に載置された場合に、リモコン装置１０本体における偏心した重心５０が載置面６０に近付いた姿勢（図４のリモコン装置１０の状態）に向かって変化（移動）するとともに、リモコン装置１０本体の重心５０が載置面６０に近付いた姿勢になったことに基づいて、電源部１７からの電力供給を遮断する傾斜スイッチ１２を備えることによって、リモコン装置１０を載置面６０にどのような姿勢を有して載置した場合であっても、偏心した重心５０によりリモコン装置１０本体の姿勢が自然に変化して傾斜スイッチ１２により電源部１７からの電力供給が遮断されるような姿勢（重心５０が載置面６０に近付いた姿勢）に移行させることができる。これにより、リモコン装置１０の載置の仕方によらず電源部１７からの電力供給が遮断されるとともに、非使用時の電力消費の低減を図ることができる。
【００３５】
また、第１実施形態では、上記のように、リモコン装置１０本体の内部に配置されるとともに、リモコン装置１０本体の重心５０が載置面６０に近付いた姿勢になったことに基づいて、電源部１７から電力を供給可能なオン状態から電力供給を遮断するオフ状態に切り替えるように傾斜スイッチ１２を構成する。これにより、傾斜スイッチ１２がリモコン装置１０本体の内部に配置されているので、傾斜スイッチ１２がリモコン装置１０本体の外部に配置されている場合と異なり、リモコン装置１０の使用中にユーザの指などが傾斜スイッチ１２に不意に接触することにより電源部１７からの電力供給が誤って遮断される動作を防止することができる。
【００３６】
また、第１実施形態では、上記のように、リモコン装置１０本体が傾いてリモコン装置１０本体の重心５０が載置面６０に近付いた姿勢になったことに基づいて、電源部１７から電力を供給可能なオン状態から電力供給を遮断するオフ状態に物理的に切り替えるとともに、操作部１１が載置面６０と略平行で上向きの状態に位置した際に、電源部１７から電力を供給可能なオン状態に物理的に切り替えるように傾斜スイッチ１２を構成する。これにより、傾斜スイッチ１２のオン状態とオフ状態とをリモコン装置１０本体の姿勢に応じて物理的に切り替えることができるので、傾斜スイッチ１２自身にオン／オフ切り替えのための電力を供給する必要がない。これにより、リモコン装置１０の電力消費をより低減することができる。
【００３７】
また、第１実施形態では、上記のように、テレビジョン装置４０に向けて操作信号を送信する操作信号送信部１４を、リモコン装置１０本体の一方端部近傍に配置するとともに、傾斜スイッチ１２を、操作信号送信部１４の配置された一方端部近傍とは反対側のリモコン装置１０本体の他方端部側に配置する。これにより、ユーザは、操作信号送信部１４が配置された一方端部側を前方（テレビジョン装置４０側）に向けるとともに、傾斜スイッチ１２が配置された他方端部側を手前に向けてこの他方端部側を把持するようにしてリモコン装置１０を使用するので、ユーザの手（手首側）を支点としてリモコン装置１０が動かされたとしても、傾斜スイッチ１２の配置された他方端部側のリモコン装置１０の動きを一方端部側と比較して小さくすることができる。この結果、ユーザによるリモコン装置１０の使用状態に起因して傾斜スイッチ１２が誤動作するのを抑制することができる。
【００３８】
また、第１実施形態では、上記のように、リモコン装置１０本体は、概略円柱形状の丸みを帯びた形状を有する外表面１０ｂを含み、偏心した重心５０により丸みを帯びた形状を有する外表面１０ｂの載置面６０に対する接触位置が変化されることにより姿勢が変化するとともに重心５０が載置面６０に近付いた姿勢になったことに基づいて、電源部１７からの電力供給を遮断するように構成する。これにより、丸みを帯びた形状を有する外表面１０ｂの載置面６０に対する接触位置の変化を有効に利用してリモコン装置１０本体の姿勢を重心５０が載置面６０に近付いた姿勢まで容易に変化させることができる。
【００３９】
また、第１実施形態では、上記のように、操作面１０ａは、リモコン装置１０本体の重心５０が載置面６０に近付いた姿勢になった場合に載置面６０に対して対向する位置に配置され、リモコン装置１０本体は操作面１０ａの外周部の少なくとも一部を囲むとともに操作面１０ａから突出するように設けられた脚部１３ａおよび１３ｂを含み、脚部１３ａおよび１３ｂの操作面１０ａからの突出高さＬ１は、操作部１１が動作するのに必要な操作部１１の操作面１０ａからの突出高さよりも大きい。これにより、脚部１３ａおよび１３ｂの操作面１０ａからの突出高さＬ１は、操作部１１が押圧されて動作に至る時の押圧後の操作部１１の操作面１０ａからの突出高さよりも大きいので、リモコン装置１０本体が載置面６０に載置されて重心５０が載置面６０に近付いた姿勢に向かって変化する際に、操作部１１が机上などの載置面６０から押圧されることに起因して誤操作（誤動作）を起こしてしまうのを抑制することができる。
【００４０】
（第２実施形態）
次に、図２および図７〜図９を参照して、第２実施形態について説明する。この第２実施形態では、脚部１３がリモコン装置１０の外表面１０ｂと連続する滑らかな曲線（曲面）を有した上記第１実施形態とは異なり、脚部２３がリモコン装置２０の丸みを帯びた外表面２０ｂと連続する滑らかな曲線（曲面）に加えて略平坦な平坦部２３ｃを有する例について説明する。なお、平坦部２３ｃは、本発明の「姿勢維持部」の一例である。また、丸みを帯びた外表面２０ｂは、本発明の「転がり形状部」の一例である。
【００４１】
本発明の第２実施形態によるリモコン装置２０は、図７に示すように、操作部２１と、傾斜スイッチ２２と、各々に略平坦な平坦部２３ｃを有する脚部２３ａおよび２３ｂを含む脚部２３とを備える。なお、傾斜スイッチ２２は、本発明の「電力供給遮断部」の一例である。
【００４２】
ここで、第２実施形態では、リモコン装置２０は、脚部２３ａおよび２３ｂが操作部２１の外周部に配置されるとともに、リモコン装置２０の操作面２０ａから離間する方向（Ｚ１方向）へ突出するように形成されている。また、脚部２３ａおよび２３ｂは、リモコン装置２０の丸みを帯びた外表面２０ｂと連続する滑らかな曲線（曲面）を有するとともに、上側（Ｚ１側）の一部が略平坦な平坦部２３ｃを有している。また、脚部２３ａおよび２３ｂは、図９に示すように、脚部２３ａおよび２３ｂの操作面２０ａからの最大突出高さＬ３が操作部２１の操作面２０ａからの突出高さＬ４よりも大きくなるように構成されている。したがって、操作部２１が押圧されて動作に至る時の押圧後の操作部２１の操作面２０ａからの突出高さよりも、脚部２３ａおよび２３ｂの操作面２０ａからの最大突出高さＬ３の方が大きくなるように構成されている。
【００４３】
また、第２実施形態では、リモコン装置２０は、重心５０がリモコン装置２０の幾何学的中心から操作面２０ａ側（Ｚ１側）に偏心して配置されるように構成されている。また、重心５０は、電源部１７（図２参照）などが操作面２０ａ側に偏って配置されることによりリモコン装置２０の幾何学的中心から偏心するように構成されている。すなわち図８においては、リモコン装置２０における上半分（Ｚ１側）の領域の重さが下半分（Ｚ２側）の領域の重さよりも大きくなるように内部の機器配置が構成されている。また、リモコン装置２０は、概略円柱形状の外表面２０ｂの載置面６０に対する接触位置が偏心した重心５０により変化されるように構成されている。具体的には、リモコン装置２０は、図８に示すように重心５０が偏心して配置された操作面２０ａ側を上側（Ｚ１側）とした姿勢で載置面６０に載置された場合に、図８におけるリモコン装置２０の回転を表す矢印Ｐ方向に載置面６０を転がりながら姿勢が変化するように構成されている。そして、リモコン装置２０は、重心５０が徐々に載置面６０に向かって接近していくとともに、図９に示すように、脚部２３の平坦部２３ｃが載置面６０に載置された姿勢で安定するように構成されている。また、脚部２３の平坦部２３ｃは、重心５０が載置面６０と近付いた時のリモコン装置２０の姿勢を維持可能に構成されている。なお、図９に示す重心５０が載置面６０に近付いた際のリモコン装置２０の状態（姿勢）は、本発明の「所定の姿勢」に対応する姿勢である。また、図９では「所定の姿勢」の一例として重心５０が載置面６０に最も近付いた姿勢を図示したが、本発明の「所定の姿勢」には、傾斜スイッチ２２がオン状態からオフ状態に切り替わることが可能な角度範囲で重心５０が載置面６０に近付くようなリモコン装置２０の姿勢も含まれる。
【００４４】
また、傾斜スイッチ２２は、重心５０が偏心して配置された操作面２０ａ側を上側（Ｚ１側）とした姿勢となった場合（図７および図８の状態）にオン状態になるとともに、制御部１５（図２参照）を介してリモコン装置２０の各構成要素に電力が供給されるように構成されている。また、傾斜スイッチ２２は、図９に示すように、リモコン装置２０の重心５０が載置面６０と近付いた姿勢になった場合にオフ状態になるとともに、リモコン装置２０の各構成要素への電力の供給が遮断されるように構成されている。
【００４５】
なお、第２実施形態のその他の構成は、上記第１実施形態と同様である。
【００４６】
第２実施形態では、上記のように、リモコン装置２０本体は、載置面６０を転がりやすい丸みを帯びた外表面２０ｂと、リモコン装置２０本体が外表面２０ｂに沿って転がることにより重心５０が載置面６０に近付いた姿勢（図９のリモコン装置２０の状態）になった際に、この姿勢（重心５０が載置面６０に近付いた姿勢）を維持可能な平坦部２３ｃを有する脚部２３ａおよび２３ｂとを含む。これにより、リモコン装置２０が重心５０が載置面６０に近付いた姿勢になった際に略平坦な平坦部２３ｃによってこの姿勢を維持することができる。したがって、リモコン装置２０が重心５０が載置面６０に近付いた姿勢になった際に確実に電源部１７からの電力供給が遮断される状態を維持することができる。
【００４７】
また、第２実施形態では、上記のように、脚部２３は、リモコン装置２０本体が重心５０が載置面６０に近付いた姿勢になった状態で、載置面６０と対向する平坦部２３ｃを有している。これにより、リモコン装置２０の重心５０が載置面６０に近付いた姿勢になった際に載置面６０に対向する平坦部２３ｃによりこの姿勢を容易に維持することができる。これにより、ひとたび重心５０が載置面６０に近付いた姿勢となったリモコン装置２０がこの姿勢からさらに転がることを確実に抑制することができる。
【００４８】
なお、第２実施形態のその他の効果は、上記第１実施形態と同様である。
【００４９】
（第３実施形態）
次に、図２および図１０〜図１２を参照して、第３実施形態について説明する。この第３実施形態では、傾斜スイッチ１２（２２）をリモコン装置１０（２０）の内部に配置した第１および第２実施形態とは異なり、押しボタンスイッチ３２をリモコン装置３０の背面３０ｃ側に配置する例について説明する。なお、押しボタンスイッチ３２は、本発明の「電力供給遮断部」の一例である。
【００５０】
本発明の第３実施形態によるリモコン装置３０は、図１０に示すように、操作部３１と、リモコン装置３０の背面３０ｃ側（Ｚ２側）に配置された押しボタンスイッチ３２（破線で示す）と、脚部３３ａおよび３３ｂを含む脚部３３と、姿勢維持部３８とを備える。
【００５１】
ここで、第３実施形態では、リモコン装置３０は、脚部３３ａおよび３３ｂが操作部３１の外周部に配置されるとともに、リモコン装置３０の操作面３０ａから離間する方向（Ｚ１方向）へ突出するように形成されている。また、外表面３０ｂの一部を構成する脚部３３ａおよび３３ｂは、リモコン装置３０の脚部３３以外の外表面３０ｂと連続する滑らかな曲線（曲面）を有している。また、リモコン装置３０は、背面３０ｃに形成された略平坦形状の姿勢維持部３８を有している。なお、外表面３０ｂは、本発明の「転がり形状部」の一例である。
【００５２】
また、第３実施形態では、リモコン装置３０は、重心５０がリモコン装置３０の幾何学的中心から操作面３０ａ側（Ｚ１側）に偏心して配置されるように構成されている。また、重心５０は、電源部１７（図２参照）などが操作面３０ａ側に偏って配置されることによりリモコン装置３０の幾何学的中心から偏心するように構成されている。すなわち図１１においては、リモコン装置３０における上半分（Ｚ１側）の領域の重さが下半分（Ｚ２側）の領域の重さよりも大きくなるように内部の機器配置が構成されている。また、リモコン装置３０は、概略円柱形状の外表面３０ｂの載置面６０に対する接触位置が偏心した重心５０により変化されるように構成されている。具体的には、リモコン装置３０は、図１１に示すように重心５０が偏心して配置された背面３０ｃ側を上側（Ｚ１側）とした姿勢で載置面６０に載置された場合に、図１１におけるリモコン装置３０の回転を表す矢印Ｐ方向に載置面６０を転がりながら姿勢が変化するように構成されている。そして、リモコン装置３０は、重心５０が徐々に載置面６０に向かって接近していくとともに、図１２に示すように、略平坦な姿勢維持部３８が載置面６０に載置された姿勢で安定するように構成されている。なお、図１２においては、図示の都合上、押しボタンスイッチ３２が姿勢維持部３８から若干下方（載置面６０側）に飛び出した状態を示している。また、姿勢維持部３８は、重心５０が載置面６０と近付いた時のリモコン装置３０の姿勢を維持可能に構成されている。なお、図１２に示す重心５０が載置面６０に近付いた際のリモコン装置３０の状態は、本発明の「所定の姿勢」に対応する姿勢である。また、図１２では「所定の姿勢」の一例として重心５０が載置面６０に最も近付いた姿勢を図示したが、本発明の「所定の姿勢」には、押しボタンスイッチ３２が姿勢維持部３８（背面３０ｃ）から突出したオン状態から内部に押し込まれたオフ状態に切り替わることが可能な角度範囲で重心５０が載置面６０に近付くようなリモコン装置３０の姿勢も含まれる。
【００５３】
また、押しボタンスイッチ３２は、重心５０が偏心して配置された背面３０ｃ側を上側（Ｚ２側）とした姿勢となった場合（図１１の状態）に押し込み状態が解除されてオン状態になるとともに、制御部１５（図２参照）を通してリモコン装置３０の各構成要素に電力が供給されるように構成されている。また、押しボタンスイッチ３２は、図１２に示すように、リモコン装置３０の重心５０が載置面６０に近付いた姿勢になった場合に内部に押し込まれてオフ状態になるとともに、リモコン装置３０の各構成要素への電力の供給が遮断されるように構成されている。
【００５４】
また、押しボタンスイッチ３２が載置面６０に接触する先端部は、丸みを帯びた曲面（半球面）を有している。これにより、リモコン装置３０が転がりながら背面３０ｃを下に向けた際に丸みを帯びた先端部が載置面６０に滑らかに接触して押しボタンスイッチ３２が容易に押し込まれるように構成されている。
【００５５】
なお、第３実施形態のその他の構成は、上記第１実施形態と同様である。
【００５６】
第３実施形態では、上記のように、リモコン装置３０本体は、載置面６０を転がりやすい丸みを帯びた外表面３０ｂと、リモコン装置３０本体が外表面３０ｂに沿って転がることにより重心５０が載置面６０に近付いた姿勢（図１２のリモコン装置３０の状態）になった際に、重心５０が載置面６０に近付いた姿勢を維持可能な外表面形状を有する姿勢維持部３８とを含む。これにより、リモコン装置３０の重心５０が載置面６０に近付いた姿勢になった際に姿勢維持部３８によってこの姿勢を維持することができる。したがって、リモコン装置３０の重心５０が載置面６０に近付いた姿勢になった際に確実に電源部１７からの電力供給が遮断される状態を維持することができる。
【００５７】
また、第３実施形態では、上記のように、姿勢維持部３８は、リモコン装置３０本体が所定の姿勢になった状態で、載置面６０と対向するように略平坦状に形成されている。これにより、リモコン装置３０の重心５０が載置面６０に近付いた姿勢になった際に載置面６０に対向する姿勢維持部３８によりこの姿勢を容易に維持することができる。これにより、一旦、重心５０が載置面６０に近付いた姿勢となったリモコン装置３０がこの姿勢からさらに転がることを確実に抑制することができる。
【００５８】
なお、第３実施形態のその他の効果は、上記第１実施形態と同様である。
【００５９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６０】
たとえば、上記第１〜第３実施形態では、リモコン装置１０（２０、３０）の形状を概略円柱形状とした例について示したが、本発明はこれに限られない。本発明では、リモコン装置１０（２０、３０）の形状は、姿勢が変化できるような形状であればどのような形状でもよい。たとえば、図１３に示す変形例のように、リモコン装置７０の押しボタンスイッチ７２が配置された側（Ｙ１側）の端部に対応する外表面７０ａが半球状を有するとともに重心５０が半球状の端部の内部に位置することにより、リモコン装置７０が載置面６０に対して起立するような形状でもよい。また、押しボタンスイッチ７２にかえて、傾斜スイッチ１２を配置してもよい。また、本発明では、リモコン装置１０（２０、３０）が球状を有していてもよい。
【００６１】
また、上記第１〜第３実施形態では、電力供給遮断部を傾斜スイッチ１２（２２）または押しボタンスイッチ３２とした例について示したが、本発明はこれに限られない。本発明では、電力供給遮断部をセンサとしてオン状態とオフ状態とを切り替えるような構成にしてもよい。たとえば、圧力センサにより圧力を検知することによりオン状態とオフ状態とを切り替えるような構成でもよい。また、本発明では、図１３に示す変形例のように、リモコン装置７０を起立させて載置するような場合には、使用状態と載置状態のリモコン装置７０の傾きを傾きセンサ（ジャイロセンサや加速度センサなど）により検知して、制御部１５がリモコン装置７０の各構成要素への電力の供給と遮断とを切り替えるような構成でもよい。
【００６２】
また、上記第１〜第３実施形態では、電力供給遮断部（傾斜スイッチ１２、２２、押しボタンスイッチ３２）を、制御構成上、制御部１５と電源部１７との間に配置した例について示したが、本発明はこれに限られない。本発明では、電力供給遮断部（傾斜スイッチ１２、２２、押しボタンスイッチ３２）を、制御構成上、どのような位置に配置しても構わない。たとえば、制御部１５とジャイロセンサ１６との間に配置して、オフ状態においてもジャイロセンサ１６以外の各構成要素の機能を生かすことにより、リモコン装置１０（２０、３０）の利便性を向上させることもできる。
【００６３】
また、上記第１〜第３実施形態では、操作部１１（２１、３１）を押しボタンとした例について示したが、本発明はこれに限られない。本発明では、操作部１１（２１、３１）は、テレビジョン装置４０の表示画像４３ａ上のカーソル４３ｂを操作できればよい。たとえば、操作部１１（２１、３１）をトラックパッドとして、トラックパッド上をユーザの指などがスライドしてカーソル４３ｂを移動操作させるとともに、タップにより選択操作および決定操作を実施させるような構成でもよい。
【００６４】
また、上記第１〜第３実施形態では、操作部１１（２１、３１）を表示画面４３ａ上の画像の選択操作および決定操作が可能な構成とした例について示したが、本発明はこれに限られない。本発明では、操作部１１（２１、３１）として選択操作および決定操作以外の操作が可能なように構成してもよい。たとえば、十字状の操作ボタン（十字キー）を配置して操作ボタンにより表示画像４３ａ上のカーソル４３ｂを操作可能に構成してもよい。また、操作部１１（２１、３１）を上記の操作以外に表示画像４３ａを１つ前に表示されていた表示画像に戻すような操作が可能に構成してもよい。
【００６５】
また、上記第１〜第３実施形態では、操作部１１（２１、３１）の上側（Ｙ２側）に設けられた脚部１３ａ（２３ａ、３３ａ）および下側（Ｙ１側）に設けられた脚部１３ｂ（２３ｂ、３３ｂ）からなる脚部１３（２３、３３）を備えた例について示したが、本発明はこれに限られない。本発明では、脚部脚部１３（２３、３３）は、操作部１１（２１、３１）の押し込みによる誤操作を防止できれば、どのような構成でもよい。たとえば、リモコン装置１０（２０、３０）における操作面１０ａ（２０ａ、３０ａ）の４隅に突起状の脚部を設けるような構成でもよい。
【００６６】
また、上記第１〜第３実施形態では、脚部１３ａ（２３ａ、３３ａ）および１３ｂ（２３ｂ、３３ｂ）を脚部１３ａ（２３ａ、３３ａ）および１３ｂ（２３ｂ、３３ｂ）の操作面１０ａ（２０ａ、３０ａ）からの突出高さＬ１（Ｌ３）が操作部１１（２１、３１）の操作面１０ａ（２０ａ、３０ａ）からの突出高さＬ２（Ｌ４）よりも大きくした例について示したが、本発明はこれに限られない。本発明では、脚部１３ａ（２３ａ、３３ａ）および１３ｂ（２３ｂ、３３ｂ）の突出高さは、操作部１１（２１、３１）が動作するのに必要な操作部１１（２１、３１）の操作面１０ａからの突出高さよりも大きければ、どのような高さでもよい。たとえば、操作部１１（２１、３１）の突出高さと脚部１３ａ（２３ａ、３３ａ）および１３ｂ（２３ｂ、３３ｂ）の突出高さＬ１（Ｌ３）が等しくなるような構成でもよい。
【００６７】
また、上記第１〜第３実施形態では、電源部１７などが偏って配置されることで重心５０をリモコン装置１０（２０、３０）の幾何学的中心から偏心させる例について示したが、本発明はこれに限られない。本発明では、金属などの錘をリモコン装置１０（２０、３０）の内部に配置して重心５０をリモコン装置１０（２０、３０）の幾何学的中心から偏心させるように構成してもよい。
【００６８】
また、上記第１〜第３実施形態では、操作対象機器をテレビジョン装置４０とした例について示したが、本発明はこれに限られない。本発明では、操作対象機器がＳＴＢ（セットトップボックス）装置でもよい。
【００６９】
また、上記第１〜第３実施形態では、リモコン装置１０（２０、３０）がジャイロセンサ１６を備える例について示したが、本発明はこれに限られない。本発明では、ジャイロセンサ１６を備えず、操作部１１（２１、３１）によりテレビジョン装置４０の表示画像４３ａ上のカーソル４３ｂを操作するような構成でもよい。
【符号の説明】
【００７０】
１０、２０、３０、７０  リモコン装置
１０ａ、２０ａ、３０ａ  操作面
１０ｂ、７０ａ  外表面
１１、２１、３１  操作部
１２、２２  傾斜スイッチ（電力供給遮断部）
１３、１３ａ、１３ｂ、２３、２３ａ、２３ｂ、３３、３３ａ、３３ｂ  脚部
１４  操作信号送信部
１５  電源部
２０ｂ、３０ｂ  外表面（転がり形状部）
２３ｃ  平坦部（姿勢維持部）
３２、７２  押しボタンスイッチ（電力供給遮断部）
３８  姿勢維持部
４０  テレビジョン装置（操作対象機器）
５０  重心
６０  載置面
【図１】
2014236425.tif 000003
【図２】
2014236425.tif 000004
【図３】
2014236425.tif 000005
【図４】
2014236425.tif 000006
【図５】
2014236425.tif 000007
【図６】
2014236425.tif 000008
【図７】
2014236425.tif 000009
【図８】
2014236425.tif 000010
【図９】
2014236425.tif 000011
【図１０】
2014236425.tif 000012
【図１１】
2014236425.tif 000013
【図１２】
2014236425.tif 000014
【図１３】
2014236425.tif 000015